(57)【要約】【課題】ハウジング側ロック部とレバー側ロック部とが衝突したり離れたりするレバー回動操作方向の嵌合ガタを規制する。【解決手段】相嵌合する一対のコネクタハウジングにおける一方のコネクタハウジング１１にレバー１５を回動自在に装着し、レバー１５の回動操作をすることで一方のコネクタハウジング１１と他方のコネクタハウジング１３双方の嵌合・離脱が行われ、双方のコネクタハウジングの嵌合時にあってはハウジング側ロック部及びレバー側ロック部の係合によりレバー１５の離脱方向の回動が規制されるレバー嵌合式コネクタ１００であって、一方のコネクタハウジング１１の外壁面の一部に段差部を形成したハウジング側ガタ止め部５５と、コネクタハウジングの外壁面に対向配置されるレバー１５のレバー本体部３３の内壁面に、ハウジング側ガタ止め部５５に弾接可能に形成したレバー側ガタ止め部５７と、を設けた。【選択図】図１
2011081951.tif 000002
【特許請求の範囲】
【請求項１】
相嵌合する一対のコネクタハウジングにおける一方のコネクタハウジングにレバーを回動自在に装着し、該レバーの回動操作をすることで前記一方のコネクタハウジングと他方のコネクタハウジング双方の嵌合・離脱が行われ、該双方のコネクタハウジングの嵌合時にあっては前記一方のコネクタハウジングに形成されるハウジング側ロック部及び前記レバーに形成されるレバー側ロック部の係合により前記レバーの離脱方向の回動が規制されるレバー嵌合式コネクタであって、
前記一方のコネクタハウジングの外壁面の一部に段差部として形成したハウジング側ガタ止め部と、
前記コネクタハウジングの外壁面に対向配置される前記レバーのレバー本体部の内壁面に、前記ハウジング側ガタ止め部に弾接可能に形成したレバー側ガタ止め部と、
を具備することを特徴とするレバー嵌合式コネクタ。
【請求項２】
請求項１記載のレバー嵌合式コネクタであって、
前記レバー側ガタ止め部はリブ状に突出し、コネクタハウジングに溝状に形成したハウジング側レバー仮係止部に係止可能に設けられていることを特徴とするレバー嵌合式コネクタ。
【請求項３】
請求項１又は請求項２記載のレバー嵌合式コネクタであって、
前記ハウジング側ロック部と前記レバー側ロック部とを当接させない位置で弾接するように、前記ハウジング側ガタ止め部及び前記レバー側ガタ止め部を配置形成することを特徴とするレバー嵌合式コネクタ。
【請求項４】
請求項１〜請求項３のいずれか１項に記載のレバー嵌合式コネクタであって、
前記ハウジング側ガタ止め部は、前記外壁面においてコネクタ嵌合直交方向に対し傾いた直線状の段差部で形成されることを特徴とするレバー嵌合式コネクタ。
【発明の詳細な説明】
【技術分野】
【０００１】
本発明は、レバー嵌合式コネクタに関する。
【背景技術】
【０００２】
コネクタハウジング相互を結合する際の挿入力を低減するために、一方のコネクタハウジングにレバーを設け、このレバーの回動操作によりコネクタハウジング相互の嵌合・離脱を行えるようにしたレバー嵌合式コネクタに関しては、例えば下記特許文献１に開示されている。
【０００３】
下記特許文献１に開示されたレバー嵌合式コネクタは、レバーを回動させてコネクタハウジング相互の嵌合を行った後に、レバーの離脱方向の回動を規制することができるような構造になっている。具体的には、コネクタハウジングにハウジング側ロック部を形成するとともに、レバーにレバー側ロック部を形成し、これらの係合によってレバーの離脱方向の回動を規制することができるような構造になっている。
【先行技術文献】
【特許文献】
【０００４】
【特許文献１】特開平９−２５９９７１号公報
【発明の概要】
【発明が解決しようとする課題】
【０００５】
従来のレバー嵌合式コネクタは、ハウジング側ロック部及びレバー側ロック部の係合によりレバーの離脱方向の回動操作が規制されるようになっている。しかしながら、レバーとコネクタハウジングとの間にはレバー回動操作方向の嵌合ガタが構造上生じてしまうことから、ハウジング側ロック部とレバー側ロック部とは常に当接して引っ掛かり合うような係合にならず、例えば振動が伝わった場合には、レバーがこの操作方向にガタ付いて、ハウジング側ロック部とレバー側ロック部とが衝突したり離れたりするようになる。従って、コネクタハウジングやレバーの各部にガタ付きによる悪影響がでてしまうという虞を有している。
【０００６】
上記の悪影響として考えられることは、レバーの回動軸部分の摩耗、ハウジング側ロック部及びレバー側ロック部の衝突の繰り返しによる摩耗や破損や異音などである。
【０００７】
本発明は、上記した事情に鑑みてなされたもので、ハウジング側ロック部とレバー側ロック部とが衝突したり離れたりするレバー回動操作方向の嵌合ガタを規制することが可能なレバー嵌合式コネクタを提供することを課題とする。
【課題を解決するための手段】
【０００８】
本発明に係る上記目的は、下記構成により達成される。
（１）  相嵌合する一対のコネクタハウジングにおける一方のコネクタハウジングにレバーを回動自在に装着し、該レバーの回動操作をすることで前記一方のコネクタハウジングと他方のコネクタハウジング双方の嵌合・離脱が行われ、該双方のコネクタハウジングの嵌合時にあっては前記一方のコネクタハウジングに形成されるハウジング側ロック部及び前記レバーに形成されるレバー側ロック部の係合により前記レバーの離脱方向の回動が規制されるレバー嵌合式コネクタであって、
前記一方のコネクタハウジングの外壁面の一部に段差部として形成したハウジング側ガタ止め部と、
前記コネクタハウジングの外壁面に対向配置される前記レバーのレバー本体部の内壁面に、前記ハウジング側ガタ止め部に弾接可能に形成したレバー側ガタ止め部と、
を具備することを特徴とするレバー嵌合式コネクタ。
【０００９】
このレバー嵌合式コネクタによれば、レバーが回動操作され、レバー側ロック部がハウジング側ロック部に係合した後、レバーは若干量慣性回転する。レバーが若干量慣性回転すると、レバー側ガタ止め部がハウジング側ガタ止め部に弾接する。つまり、レバーは、ロック部同士の係合後、さらに若干量回転した位置で保持される。
【００１０】
（２）  （１）のレバー嵌合式コネクタであって、
前記レバー側ガタ止め部はリブ状に突出し、コネクタハウジングに溝状に形成したハウジング側レバー仮係止部に係止可能に設けられていることを特徴とするレバー嵌合式コネクタ。
【００１１】
このレバー嵌合式コネクタによれば、レバーが回動操作されると、レバー側ロック部がハウジング側ロック部に係合する前に、レバー側ガタ止め部がハウジング側レバー仮係止部に係止する。これにより、レバーは、他方のコネクタハウジング（のカムピン）を（カム溝に）受入可能な位置で保持可能となる。
【００１２】
（３）  （１）又は（２）のレバー嵌合式コネクタであって、
前記ハウジング側ロック部と前記レバー側ロック部とを当接させない位置で弾接するように、前記ハウジング側ガタ止め部及び前記レバー側ガタ止め部を配置形成することを特徴とするレバー嵌合式コネクタ。
【００１３】
このレバー嵌合式コネクタによれば、ハウジング側ガタ止め部とレバー側ガタ止め部とが係合すると、レバー回動操作方向の嵌合ガタの発生が抑制され、この状態ではハウジング側ロック部とレバー側ロック部との当接が生じない。これにより、例えば振動が伝わったとしても、ハウジング側ロック部とレバー側ロック部との衝突や摩耗や異音が防止されるようになる。
【００１４】
（４）  （１）〜（３）のいずれか１つのレバー嵌合式コネクタであって、
前記ハウジング側ガタ止め部は、前記外壁面においてコネクタ嵌合直交方向に対し傾いた直線状の段差部で形成されることを特徴とするレバー嵌合式コネクタ。
【００１５】
このレバー嵌合式コネクタによれば、限られた面積の外壁面において、直線状のハウジング側ガタ止め部が傾いて形成されることで、段差部が長く形成可能となる。段差部が長く形成されることで、単位面積当たりの係合荷重が小さくなり、レバー側ガタ止め部とハウジング側ガタ止め部が高強度に係合可能となる。
【発明の効果】
【００１６】
本発明に係るレバー嵌合式コネクタによれば、コネクタハウジングの外壁面に段差状のハウジング側ガタ止め部を形成し、レバー本体部にはハウジング側ガタ止め部に弾接するレバー側ガタ止め部を形成したので、レバーが、レバー側ガタ止め部をハウジング側ガタ止め部に弾接する回転位置で保持され、ハウジング側ロック部とレバー側ロック部とが衝突したり離れたりするレバー回動操作方向の嵌合ガタが規制可能となる。
【図面の簡単な説明】
【００１７】
【図１】本発明に係るレバー嵌合式コネクタの分解斜視図である。
【図２】図１に示したコネクタハウジングの斜視図である。
【図３】図２のコネクタハウジングを左右反対側から見た斜視図である。
【図４】レバーの斜視図である。
【図５】レバーを図４の矢印Ａ方向から見た平面図である。
【図６】（ａ）はレバーがガタ止め係止状態のコネクタハウジングの斜視図、（ｂ）はそのＢ部拡大図である。
【図７】（ａ）レバーが仮係止状態のコネクタハウジングの斜視図、（ｂ）はそのＣ部拡大図である。
【図８】（ａ）はレバーがガタ止め係止状態のレバー嵌合式コネクタの側面図、（ｂ）はそのレバー本体部を切り欠いた側面図である。
【図９】（ａ）はレバーがガタ止め係止状態のレバー嵌合式コネクタのロック部を切り欠いた側面図、（ｂ）はそのＤ部拡大図である。
【発明を実施するための形態】
【００１８】
以下、本発明の実施の形態を図面を参照して説明する。
図１は本発明に係るレバー嵌合式コネクタの分解斜視図である。
レバー嵌合式コネクタ１００は、一方のコネクタハウジングである雌コネクタハウジング１１と、他方のコネクタハウジングである雄コネクタハウジング１３と、を具備する。雌コネクタハウジング１１は、雄コネクタハウジング１３との嵌合・離脱を行うためのレバー１５を装着する。雌コネクタハウジング１１、雄コネクタハウジング１３、及びレバー１５は、それぞれが樹脂製（例えばＰＢＴ；ポリブチレンテレフタート等）の一体成形品からなる。本明細書中、雌雄コネクタハウジング１１，１３はそれぞれの嵌合側を前、その反対側を後とする。
【００１９】
図２は図１に示したコネクタハウジングの斜視図、図３は図２のコネクタハウジングを左右反対側から見た斜視図である。
雌コネクタハウジング１１は、嵌合方向（矢印ａ方向）の前面に嵌合開口部１７が形成される。もっとも、レバー嵌合式コネクタ１００では、嵌合力を低減させるレバー１５の回転操作により、雄コネクタハウジング１３を嵌合開口部１７に引き込み嵌合する。したがって、嵌合方向ａは雄コネクタハウジング１３に対しての雌コネクタハウジング１１の相対的な嵌合方向を示す。
【００２０】
嵌合開口部１７には複数（図例では３つ）の雄タブ進入孔１９が並設される。雄タブ進入孔１９は内部の端子収容室（図示せず）に連通する。それぞれの端子収容室には雌端子金具（図示せず）が収容される。雌端子金具には電線が接続され、電線は雌コネクタハウジング１１の後部２１から導出される。
【００２１】
雌コネクタハウジング１１の平行な一対の外壁面（両側面）２３ａ，２３ｂのそれぞれには、嵌合方向ａに直交する軸２５が突設される。軸２５は、外壁面２３ａ，２３ｂの略中央部で、円筒状に形成されて突出する。
【００２２】
外壁面２３ａ，２３ｂのそれぞれの嵌合開口部１７側には雄コネクタハウジング１３の一対のカムピン２７をレバー１５にまで案内するとともに、嵌合・離脱の際のカムピン２７の移動を許容する一対のカムピン受入溝２９と、一対のカムピン受入溝２９をレバー１５まで案内する部分を覆うような形状の一対のブリッジ部３１とが形成されている。ブリッジ部３１の嵌合開口部１７と反対側の縁部は、レバー本体部３３の外周に沿う円弧部３５となっている。
【００２３】
雌コネクタハウジング１１の外壁面２３ａ，２３ｂに挟まれる他方の側壁３７（図３参照）には、ハウジング側ロック部３９が形成されている。このハウジング側ロック部３９は、雌コネクタハウジング１１に雄コネクタハウジング１３が完全嵌合した状態でレバー１５の後述するレバー側ロック部４１（図４参照）が係合する部分として形成されている。ハウジング側ロック部３９は、雌コネクタハウジング１１の側壁後部に突出形成されている。ハウジング側ロック部３９とレバー側ロック部４１は、これらが係合するとレバー１５の離脱方向の回転操作を規制する機能を有している。
【００２４】
他方の側壁３７には、ハウジング側ロック部３９を挟んで平行な一対のハウジング側ロック保護部４３，４３が突設される。このハウジング側ロック保護部４３，４３は、雌コネクタハウジング１１に雄コネクタハウジング１３が完全嵌合した状態でレバー１５の後述するレバー側ロック保護部４５，４５（図５参照）が当接する。
【００２５】
図４はレバーの斜視図、図５はレバーを図４の矢印Ａ方向から見た平面図である。
レバー１５は、一対のレバー本体部３３と、この一対のレバー本体部３３の自由端部を連結するレバー操作部４７とを有する門形形状に形成されている。各レバー本体部３３には、軸孔４９と、カム溝５１とが形成される。軸孔４９は、雌コネクタハウジング１１の軸２５に軸支される部分として形成されている。軸孔４９が軸２５に軸支されると、レバー１５は雌コネクタハウジング１１に対して回動自在となる。
【００２６】
カム溝５１は、この一端がレバー本体部３３の縁部５３に開口するように形成されており、この開口部分を雄コネクタハウジング１３のカムピン２７が進退するようになっている。レバー１５の回動操作を行い、カム溝５１の他端に向けてカムピン２７が移動すると嵌合が進み、カムピン２７がカム溝５１の他端から一端に向けて移動すると離脱が進むようになっている。
【００２７】
レバー操作部４７には、この内側に上記したレバー側ロック部４１が形成されている。レバー側ロック部４１は、雌コネクタハウジング１１と雄コネクタハウジング１３が完全嵌合した状態で雌コネクタハウジング１１のハウジング側ロック部３９に引っ掛かり係合する部分として形成されている。
【００２８】
レバー操作部４７には、上記した平行な一対のレバー側ロック保護部４５，４５が、このレバー側ロック部４１を挟んで突設される。レバー側ロック保護部４５，４５は、雌コネクタハウジング１１と雄コネクタハウジング１３が完全嵌合した状態で雌コネクタハウジング１１のハウジング側ロック保護部４３，４３と当接する。
【００２９】
雌コネクタハウジング１１は、外壁面２３ａ，２３ｂの一部に、図２に示す段差部として形成したハウジング側ガタ止め部５５を有する。段差部は、嵌合開口部１７側が高く、後部２１側が低い段差となる。このハウジング側ガタ止め部５５は、後述のレバー側ガタ止め部５７（図４参照）と係合する。
【００３０】
ハウジング側ガタ止め部５５は、外壁面２３ａ，２３ｂにおいて、コネクタ嵌合直交方向ｂ（図２参照）に対し、角度θだけ傾いた直線状の段差部で形成される。限られた面積の外壁面２３ａ，２３ｂにおいて、直線状のハウジング側ガタ止め部５５が傾いて形成されることで、段差部が長く形成可能となる。段差部が長く形成されることで、単位面積当たりの係合荷重が小さくなり、レバー側ガタ止め部５７とハウジング側ガタ止め部５５が高強度に係合可能となる。また、この傾きは、レバー１５の離脱方向への回転に沿う方向であり、レバー離脱操作時の回転をスムースにする。
【００３１】
雌コネクタハウジング１１の外壁面２３ａ，２３ｂに対向配置されるレバー本体部３３の内壁面には、上記レバー側ガタ止め部５７が形成されている。レバー側ガタ止め部５７は、ハウジング側ガタ止め部５５に弾接可能となる。レバー側ガタ止め部５７は、レバー本体部３３にコ字状の切り込みが入れられて分離される。したがって、基端部５７ａがレバー本体部３３に接続され、先端部５７ｂが自由端となった片持ち梁状に形成される。先端部５７ｂの外壁面２３ａ，２３ｂに対向する側の面にはリブ状に突出した直方体状の凸部５７ｃ（図５参照）が突設される。
【００３２】
レバー１５は、雌コネクタハウジング１１に装着された状態で、レバー側ガタ止め部５７の凸部５７ｃを外壁面２３ａ，２３ｂに押圧して撓む。このため、レバー側ガタ止め部５７は、ハウジング側ガタ止め部５５に達すると、凸部５７ｃが段部に落ち込んで係止する。この係止により、レバー１５は、図１の反時計回りの回転が規制される。
【００３３】
図６（ａ）はレバーがガタ止め係止状態のコネクタハウジングの斜視図、（ｂ）はそのＢ部拡大図である。
ハウジング側ガタ止め部５５とレバー側ガタ止め部５７は、後述するように、ハウジング側ロック部３９とレバー側ロック部４１とが当接しない位置で弾接するように配置形成されている。ハウジング側ガタ止め部５５とレバー側ガタ止め部５７とが係合すると、ハウジング側ロック部３９とレバー側ロック部４１との当接が生じない。
【００３４】
図７（ａ）はレバーが仮係止状態のコネクタハウジングの斜視図、（ｂ）はそのＣ部拡大図である。
また、雌コネクタハウジング１１の外壁面２３ａ，２３ｂには、レバー側ロック部４１がハウジング側ガタ止め部５５に到達する手前位置に、ハウジング側レバー仮係止部５９が設けられている。ハウジング側レバー仮係止部５９は、凸部５７ｃを嵌入可能とする溝状に形成される。レバー１５が回転操作されると、レバー側ロック部４１がハウジング側ロック部３９に係合する前に、レバー側ガタ止め部５７がハウジング側レバー仮係止部５９に係止する。これにより、レバー１５は、雄コネクタハウジング１３のカムピン２７を、カム溝５１に受入可能な位置に保持されるようになっている。
【００３５】
次に、上記構成を有するレバー嵌合式コネクタ１００の作用を説明する。
図８（ａ）はレバーがガタ止め係止状態のレバー嵌合式コネクタの側面図、（ｂ）はそのレバー本体部を切り欠いた側面図、図９（ａ）はレバーがガタ止め係止状態のレバー嵌合式コネクタのロック部を切り欠いた側面図、（ｂ）はそのＤ部拡大図である。
レバー嵌合式コネクタ１００は、出荷時などにおいて、レバー側ガタ止め部５７がハウジング側レバー仮係止部５９に係止した状態となる。すなわち、雄コネクタハウジング１３のカムピン２７がカム溝５１に受入可能な状態となっている。この状態において、雌コネクタハウジング１１の嵌合開口部１７に雄コネクタハウジング１３を差し込むと、これと同時に雄コネクタハウジング１３のカムピン２７が雌コネクタハウジング１１のブリッジ部３１及びカムピン受入溝２９に差し込まれるとともに、レバー１５のカム溝５１まで案内される。
【００３６】
この後、レバー１５を嵌合方向に回転操作すると、雄コネクタハウジング１３は雌コネクタハウジング１１の内部へと引き寄せられて図８（ａ）に示す完全嵌合状態へと至る。完全嵌合状態へと至ると、レバー１５のレバー側ロック部４１が雌コネクタハウジング１１のハウジング側ロック部３９に係合する。これによりレバー１５の離脱方向への回転操作が規制される。
【００３７】
レバー１５と雌コネクタハウジング１１との間には、レバー回転操作方向の嵌合ガタが構造上生じてしまうが、本発明においては、上記の完全嵌合状態へと至ると、図８（ｂ）に示すように、レバー１５のレバー側ガタ止め部５７（凸部５７ｃ）が雌コネクタハウジング１１のハウジング側ガタ止め部５５に係合して上記嵌合ガタが抑制される。
【００３８】
すなわち、レバー１５が回転操作され、レバー側ロック部４１がハウジング側ロック部３９に係合した後、レバー１５は若干量慣性回転する。レバー１５が若干量回転すると、レバー側ガタ止め部５７がハウジング側ガタ止め部５５に弾接する。つまり、レバー１５は、ロック部同士の係合後、さらに若干量回転した図９（ａ）に示す位置で保持される。このように、ロック位置から回転した位置にレバー１５が保持されることで、レバー側ロック部４１とハウジング側ロック部３９との間には図９（ｂ）に示す間隙Ｓが生じる。また、この際、レバー側ロック保護部４５がハウジング側ロック保護部４３に当接することによっても、レバー１５は回転が防止される。
【００３９】
これにより、例えば振動が伝わったとしても、レバー回転操作方向の嵌合ガタの発生が抑制され、ハウジング側ロック部３９とレバー側ロック部４１との衝突や摩耗や異音が防止される。
【００４０】
したがって、本実施の形態に係るレバー嵌合式コネクタ１００によれば、雌コネクタハウジング１１の外壁面２３ａ，２３ｂに段差状のハウジング側ガタ止め部５５を形成し、レバー本体部３３にはハウジング側ガタ止め部５５に弾接するレバー側ガタ止め部５７を形成したので、レバー１５が、レバー側ガタ止め部５７をハウジング側ガタ止め部５５に弾接する回転位置で保持され、ハウジング側ロック部３９とレバー側ロック部４１とが衝突したり離れたりするレバー回動操作方向の嵌合ガタが規制可能となる。
【符号の説明】
【００４１】
１１  雌コネクタハウジング（一方のコネクタハウジング）
１３  雄コネクタハウジング（他方のコネクタハウジング）
１５  レバー
２３ａ，２３ｂ  外壁面
３３  レバー本体部
３９  ハウジング側ロック部
４１  レバー側ロック部
５５  ハウジング側ガタ止め部
５７  レバー側ガタ止め部
５９  ハウジング側レバー仮係止部
１００  レバー嵌合式コネクタ
ａ  コネクタ嵌合方向
ｂ  コネクタ嵌合直交方向
【図１】
2011081951.tif 000003
【図２】
2011081951.tif 000004
【図３】
2011081951.tif 000005
【図４】
2011081951.tif 000006
【図５】
2011081951.tif 000007
【図６】
2011081951.tif 000008
【図７】
2011081951.tif 000009
【図８】
2011081951.tif 000010
【図９】
2011081951.tif 000011